(57)【特許請求の範囲】
【請求項１】
金属屋根のためのサーマルブロックシステムであって、該サーマルブロックシステムは、
第一の端であって、少なくとも１つのスロットがその内部に配置されている第一の端と、
第二の端と、
該第一の端と第二の端との間の第一の脚と、
一続きのサーマルブロックにおける次のサーマルブロックを受けとるための、該第二の端におけるアバットメント表面および踊り場表面であって、該次のサーマルブロックの該第一の端は、該サーマルブロックおよび該次のサーマルブロックが連結されているときに、該アバットメント表面および該踊り場表面のうちの少なくとも１つと係合する、アバットメント表面および踊り場表面と、
該第一の端内に配置された少なくとも１つのスロットの中に挿入される少なくとも１つのクリップ脚を有するクリップであって、該クリップは、該一続きのサーマルブロックにおける該サーマルブロックと該次のサーマルブロックとを一緒に固定する、クリップと
を含む、サーマルブロックシステム。
【請求項２】
第二の脚が、前記踊り場表面の下に配置されている、請求項１に記載のサーマルブロックシステム。
【請求項３】
少なくとも３つの母屋にわたって置かれた断熱材のブランケットと、
該断熱材のブランケットにわたって各母屋の上方に固定された一続きのサーマルブロックであって、該一続きのサーマルブロックにおける各サーマルブロックは、
該サーマルブロックの底部表面から突出している複数の一体の支持脚であって、該支持脚の各々は、該サーマルブロックの下に配置されているそれぞれの母屋に対して該断熱材のブランケットの第一の部分を締め付け、かつ、該支持脚の底部表面とそれぞれの母屋の上部表面との間で該断熱材のブランケットの該第一の部分を第一の圧縮量だけ圧縮する、複数の一体の支持脚と、
該支持脚間で該サーマルブロックの該底部表面において画定されている少なくとも１つのギャップであって、該断熱材のブランケットの第二の部分は、該サーマルブロックの該底部表面とそれぞれの母屋との間に配置されており、かつ、該サーマルブロックの該底部表面とそれぞれの母屋との間で該第一の圧縮量よりも小さい第二の圧縮量だけ圧縮されている、少なくとも１つのギャップと
を含む、一続きのサーマルブロックと
を含む、システム。
【請求項４】
前記断熱材のブランケットは、該断熱材のブランケットよりも厚い断熱材の片の上方にあり、該断熱材の片は、母屋の対向する組の間に生成されたポケットに存在する、請求項３に記載のシステム。
【請求項５】
前記断熱材のブランケットは、該断熱材のブランケットよりも薄い断熱材の片の下方にあり、該断熱材の片は、サーマルブロックの２つの対向する列間に位置している空間を満たしている、請求項３に記載のシステム。
【請求項６】
金属屋根に断熱材を提供する方法であって、該方法は、
少なくとも３つの母屋にわたって断熱材のブランケットを置くことと、
該断熱材のブランケットにわたって各母屋の上方に一続きのサーマルブロックを固定することであって、該一続きのサーマルブロックにおける各サーマルブロックは、該サーマルブロックの底部表面から突出している複数の一体の支持脚と、該支持脚間で該サーマルブロックの該底部表面において画定されている少なくとも１つのギャップとを含み、その結果、
該一続きのサーマルブロックが、該断熱材のブランケットにわたって各母屋の上方に固定されているときに、該支持脚の各々は、該サーマルブロックの下に配置されているそれぞれの母屋に対して該断熱材のブランケットの第一の部分を締め付け、かつ、該支持脚の底部表面とそれぞれの母屋の上部表面との間で該断熱材のブランケットの該第一の部分を第一の圧縮量だけ圧縮し、
該サーマルブロックの該底部表面とそれぞれの母屋との間に配置されている該断熱材のブランケットの第二の部分は、該サーマルブロックの該底部表面とそれぞれの母屋との間で該第一の圧縮量よりも小さい第二の圧縮量だけ圧縮されている、ことと
を含む、方法。
【請求項７】
前記断熱材のブランケットは、該断熱材のブランケットよりも厚い断熱材の片の上方にあり、該断熱材の片は、母屋の対向する組の間に生成されたポケットに存在する、請求項６に記載の方法。
【請求項８】
前記断熱材のブランケットは、該断熱材のブランケットよりも薄い断熱材の片の下方にあり、該断熱材の片は、サーマルブロックの２つの対向する列間に位置している空間を満たしている、請求項６に記載の方法。
【発明の詳細な説明】
【技術分野】
【０００１】
（関連出願への相互参照）
本願は、米国仮特許出願第６１／４７２，３９７号（２０１１年４月６出願）の利益を主張し、その開示は、参照によって本明細書中に援用される。
【０００２】
（発明の背景）
（１．発明の分野）
本発明は、一般に、屋根構造および関連のある方法の分野に関連する。より具体的には、本発明は、断熱金属屋根葺き構造の分野に関連する。
【背景技術】
【０００３】
（２．関連技術の説明）
屋根断熱材は、金属建造物の配置において使用されてきた。典型的な屋根断熱材構成は、ブランケット断熱材を使用する。断熱材によって提供される熱抵抗は、断熱材が圧縮されるかまたは詰め込まれる場合に損なわれる。従来の金属屋根断熱材システムにおいて、屋根構造が、屋根の母屋の頂部に適用される場合、ブランケット断熱材の薄い層は、圧縮され、従って、屋根断熱材システムの熱抵抗を減少させる。従来の屋根システムのいくつかの場所において、断熱材の圧縮は、熱的短絡が生成されるほど厳しく、従って、屋根断熱材システムの断熱特性を実質的に低下させる。
【発明の概要】
【課題を解決するための手段】
【０００４】
（概要）
第一の局面に従って、本開示は、金属屋根のためのサーマルブロックを提供し、そのサーマルブロックは、第一の端と、第二の端と、第一の端と第二の端との間の第一の脚とを含む。第一の端は、第一の屋根クリップのクリップ脚を受けとるためのスロットを含む。第二の端は、一続きのサーマルブロックにおける次のサーマルブロックを受けとるためのアバットメント表面および踊り場表面を含む。
【０００５】
別の局面に従って、本開示は、少なくとも１つの母屋の上に置かれた断熱材のブランケットを含むシステムを提供する。一続きのサーマルブロックは、母屋の上方、断熱材のブランケットの上に固定される。一続きのサーマルブロックにおける各サーマルブロックは、断熱材のブランケットを各母屋の頂部へ押しつけている脚を有する。ギャップが、脚間に画定され、そのギャップは、脚間に領域を与え、そこで、断熱材のブランケットは、母屋と各サーマルブロックの下側との間で部分的にのみ圧縮されている。
【０００６】
別の局面に従って、本開示は、金属屋根に断熱材を提供する方法を提供し、その方法は、少なくとも１つの母屋の上に断熱材のブランケットを置くことと、母屋の上方、断熱材のブランケット上に一続きのサーマルブロックを固定することであって、一続きのサーマルブロックにおける各サーマルブロックは、断熱材のブランケットを各母屋の頂部へ押しつけている脚を有する、ことと、脚間にギャップを形成することとを含み、そのギャップは、断熱材のブランケットが母屋と各サーマルブロックの下側との間で部分的にのみ圧縮されているように、脚間の領域を与える。
本発明は、例えば、以下を提供する。
（項目１）
金属屋根のためのサーマルブロックであって、該サーマルブロックは、
第一の端と、
第二の端と、
該第一の端と第二の端との間の第一の脚と、
第一の屋根クリップのクリップ脚を受けとるための、該第一の端におけるスロットと、
一続きのサーマルブロックにおける次のサーマルブロックを受けとるための、該第二の端におけるアバットメント表面および踊り場表面と
を含む、サーマルブロック。
（項目２）
第二の脚が、上記踊り場表面の下に形成されている、項目１に記載のサーマルブロック。
（項目３）
少なくとも１つの母屋の上に置かれた断熱材のブランケットと、
該母屋の上方、該断熱材のブランケットの上に固定された一続きのサーマルブロックであって、該一続きのサーマルブロックにおける各サーマルブロックは、該断熱材のブランケットを各母屋の頂部へ押しつけている脚を有する、一続きのサーマルブロックと、
該脚間に画定されたギャップと
を含み、該ギャップは、該脚間の領域を与え、該断熱材のブランケットは、該母屋と各サーマルブロックの下側との間で部分的にのみ圧縮されている、
システム。
（項目４）
上記断熱材のブランケットは、断熱材の比較的より厚い片の上方にあり、該比較的より厚い片は、母屋の対向する組の間に生成されたポケットに存在する、項目３に記載のシステム。
（項目５）
上記断熱材のブランケットは、断熱材の比較的より薄い片の下方にあり、該断熱材の比較的より薄い片は、サーマルブロックの２つの対向する列間に位置している空間を満たしている、項目３に記載のシステム。
（項目６）
金属屋根に断熱材を提供する方法であって、該方法は、
少なくとも１つの母屋の上に断熱材のブランケットを置くことと、
該母屋の上方、該断熱材のブランケットの上に一続きのサーマルブロックを固定することであって、該一続きのサーマルブロックにおける各サーマルブロックは、該断熱材のブランケットを各母屋の頂部へ押しつけている脚を有する、ことと、
該脚間にギャップを形成することと
を含み、該ギャップは、該断熱材のブランケットが該母屋と各サーマルブロックの下側との間で部分的にのみ圧縮されているように、該脚間の領域を与える、方法。
（項目７）
上記断熱材のブランケットは、断熱材の比較的より厚い片の上方にあり、該比較的より厚い片は、母屋の対向する組の間に生成されたポケットに存在する、項目６に記載の方法。
（項目８）
上記断熱材のブランケットは、断熱材の比較的より薄い片の下方にあり、該断熱材の比較的より薄い片は、サーマルブロックの２つの対向する列間に位置している空間を満たしている、項目６に記載の方法。
【図面の簡単な説明】
【０００７】
（図面の簡単な説明）
上述および他の特徴および利点は、添付の図面に図示されているような、好ましい実施形態のより詳しい説明から明白であり、添付の図面において、同様の参照文字は、異なる図を通じて同様の部分を表す。図面は、必ずしも一定の縮小比ではなく、要素のサイズは、明快さのために誇張され得る。
【図１】図１は、実施形態に従った、屋根構造に利用されるような全体のシステムの概略的な透視図を含む。
【図２】図２Ａ〜Ｅは、開示された実施形態におけるシステムおよび方法において使用される固定材ブロックを図示している概略図を含む。
【図３】図３は、図１から得られた断面３−３における固定材サーマルブロック、断熱材、および他の屋根構造を示している母屋において得られた概略的な断面図を含む。
【図４】図４は、実施形態に従った、屋根構造に利用されるような全体のシステムの概略的な透視図を含む。
【図５】図５は、図４から得られた断面５−５における固定材サーマルブロック、断熱材層、および他の屋根構造を示している母屋において得られた概略的な断面図を含む。
【発明を実施するための形態】
【０００８】
（詳細な説明）
本発明の実施形態は、金属屋根に断熱を提供するシステムおよび方法を提供する。
【０００９】
一実施形態は、図１、２Ａ〜Ｅ、および３に描写される。初めに図１を参照すると、システムの実施形態を組み込んでいる屋根の取り出された部分が、透視図において図示されている。システム１００は、屋根パネル１０２を支持しかつ断熱するために提供され、屋根パネル１０２は、アセンブリの頂部に据え付けられる。システムは、複数のＺ母屋１０４の頂部に置かれる。３つのＺ母屋のみが、図１に示されているが、平行な関係にあるこれらの母屋のより多くのものが、建造物の種々の屋根構造に含まれることが、理解されるはずである。
【００１０】
断面図において、Ｚ母屋は、典型的に、垂直なウェブ部分３００（図３を参照）と、水平な頂部フランジ３０２および底部フランジ３０６とを有する。水平な頂部フランジ３０２は、下向きに傾斜した前部リップ３０４を有する。母屋１０４の底部フランジ部分３０６は、上向きに斜めのリップ３０８を有し、底部３０６は、頂部フランジ部分３０２が延びる方向とは反対の方向に延びる。システムが、異なる種類の母屋（例えば、Ｃ型および他の種類）を用いて使用され得るが、図１および３に示されている母屋１０４は、Ｚ型であり、従って、母屋１０４は、Ｚ母屋と呼ばれる。屋根フレームはまた、複数のアングル金属クロス部材１１０を含み、その複数のアングル金属クロス部材１１０は、周知の態様で、母屋１０４のウェブ３００における開口部１１１の交互に対向した組を通して、互い違い様式のオフセットにおいて据え付けられる。
【００１１】
初めに、横に延びているフラップ１０７ａおよび１０７ｂを各々が各側面に有するバット断熱材の２つの対向する片１０８ａおよび１０８ｂが、対向する母屋間に存在する空間において、クロス部材１１０の頂部の上に広げられて置かれる。それから、延びた部分１０７ａおよび１０７ｂが、図３に見られ得るように、母屋の上部フランジ３０２の頂部の各々の上に掛けられる。断熱材の対向するバット１０８ａおよび１０８ｂは、各々、図に見られるように、母屋１０４間に、および母屋１０４の方向に走る。実施形態において、断熱材１０８は、（しばしばロールで市場取引される）繊維ガラスであり、繊維ガラスは、一般に、床、壁、および天井を断熱するために使用される。この断熱材は、典型的に、ロールの下側にすでに据え付けられた蒸気バリアシートを伴う。横に延びているフラップは、標準からの逸脱であるが、製造業者によって簡単に含められる特徴である。もっとも一般的には繊維ガラスから作られるが、断熱材１０８は、他の断熱材料からも構成され得る。
【００１２】
断熱材のこれらの片１０８が、母屋間の定位置に広げられる場合、断熱材は、決して圧縮されず、断熱材が完全な熱力学特性を維持することを可能にする。そして、この妨害がないことは、最終的な製品において維持される。
【００１３】
断熱片１０８が、母屋間の定位置に広げられ、フラップ１０７ａおよび１０７ｂが、母屋の上部フランジの上に掛けられると、断熱材のブランケット１１２が、（図１に見られるように）母屋の上の位置へ置かれる。実施形態において、この断熱材は、繊維ガラスから構成されるが、用途に応じて任意の数の材料から作られ得る。このブランケット１１２は、固定材ブロック１１４によって抑えつけられる。
【００１４】
各一続きの固定材ブロック１１４は、図１に示されているように、各Ｚ母屋１０２の上部部分３０２に沿って長手方向に走るように、据え付けられる。固定材ブロックは、数多くの特徴を有し、それらの特徴の詳細は、１つのブロックが示されている図２Ａ〜Ｅにおいて見られ得る。
【００１５】
図２Ａおよび２Ｂに見られるように、各固定材ブロック１１４は、中間脚１１６と、接合部支持脚１１８とを含む。各ブロックの第一の端２００は、２つのクリップ脚受け用の切込みを外につけられた垂直スロット２０８を含む。これらのスロット２０８は、第一の端２００の端面図（図２Ｄ）、および図２Ｅに示されている断面２Ｅ−２Ｅにおいて最も明瞭に見られ得る。これらのスロット２０８は、接合部１３０（図１を参照）の各々において脚３１４（図３を参照）を受けとることにより、クリップ／ブロックの干渉を避けるように設計される。
【００１６】
各固定材ブロックの第二の端２０２（図２Ａ、２Ｂおよび２Ｃを参照）は、一続きにおける次のブロックの対応する第一の端２００を受けとるための、踊り場表面２０４とアバットメント表面２０６とを含む。しかし、一続きにおける次のブロックの第一の端２００が受けとられる前に、Ｌブラケット１２２が据え付けられる。Ｌブラケット１２２の短い部分２１２は、アバットメント表面２０６に適合するようにサイズを合わせられ、Ｌブラケット１２２のより長い部分２１０は、踊り場表面２０４に合うようにサイズを合わせられる。クリップ１２０およびＬブラケット１２２に加えて、これらの端の構成は、直列に次々と一続きの連続的なブロックを据え付けることを可能にし、開示された実施形態において、各ブロック１１４は、同一である。あるいは、これらのブロックは、異なる実施形態のための異なる構成を有し得る。
【００１７】
図１を参照すると、ブロック１１４の第一の一続き１２６が、すでに据え付けられている一方、固定材ブロック１１４の第二の一続き１２８は、据え付けの最中である。図１の一続き１２６および１２８におけるブロック１１４は、接合部１３０において一緒になる。接合部１３０は、すでに据え付けられたブロック（例えば、ブロック１３２）の第二の端２０２と、据え付けられる一続きにおける次のブロック（例えば、ブロック１３４）の第一の端２０２とが合うことによって形成される。ブロック１３２（図１）は、母屋１０４にすでに固定され、Ｌブラケット１２２およびクリップ１２０を使用してブロック１３４の端２０２において固定されようとしているブロック１３４が、示されている。
【００１８】
Ｌブラケット１２２が据え付けられると、接合部１３０における特定のクリップ１２０が、２つの締め具３１６を使用してねじ込まれる場合、Ｌブラケット１２２は、端２０２において踊り場表面２０４を締め付ける。これらの締め具３１６のうちの１つは、図３に見られ得る。一組のうちの１つの締め具３１６のみが、図３に見られ得るが、２つが存在すること、および第二の締め具は、第一の締め具の後ろに単に隠れていることが理解されるはずである。これらの締め具は、示されているようなボルト３１５／ナット３１７の組み合わせであり得るか、あるいは、ねじであり得る。ボルト配置が示されているが、ねじが好ましい。既成の（例えば、パンチまたはドリルであけられた）孔（示されていない）は、一実施形態において、クリップ１２０の底部に存在し得る。締め具３１６は、これらの孔を通して、それから、Ｌブラケット１２２の踊り場部分２１０を通して作られた事前にドリルまたはパンチであけられた孔（示されていない）を通して、それから、ブロック１１４の接合部支持脚１１８を通して作られた事前にドリルまたはパンチであけられた孔（示されていない）を通して、断熱材ブランケット１１２ならびにフラップ１０７ａおよび１０７ｂを通して、それから、母屋の頭３０２内へ作られた事前にドリルまたはパンチであけられた孔を通して、据え付けられる。図３を参照されたい。いずれの例においても、１０７ａおよび１０７ｂならびに断熱材のブランケット１１２を通して事前にドリルで孔をあけることは、要求されない。なぜなら、両方は、締め具３１６によって簡単に貫かれるからである。ねじが使用される場合、事前にドリルまたはパンチであけられた孔は、任意選択である。そのうえ、事前にドリルまたはパンチであけられた孔が、母屋の頭３０２において使用される場合、これらの孔は、ねじの直径よりもわずかに小さいようにサイズを合わせられることにより、頭３０２への係合を促進する。
【００１９】
使用される締め具デバイス（ボルトまたはねじ）に関わらず、締め具は、Ｌブラケット１２２に、ブロック１３４の踊り場領域２０４を締め付けさせ、ブロック１３４の第二の端２０２が抑えつけられるのみならず、それに伴って、同じブロック１３４の第一の端が、すでに据え付けられたブロック１３２との接合部内へ置かれる。
【００２０】
ブロック１３４の第二の端２０２が、そこに据え付けられたクリップおよびＬブラケットによって固定された場合、クリップ脚２０８および継ぎ目フランジ３１０は、突出し、かつむき出しである。それから、次のブロック１３６を据え付けるために、ブロック１３６の第一の端２００のスロット２０８が、直前のブロック１３４にすでに据え付けられたクリップのクリップ脚３１４に合わせられ、かつそれを使用する。それから、クリップ１２０およびＬブラケット１２２が、ブロック１３６の踊り場領域２０４の上へねじ込まれる場合、ブロック１３４と１３６との間の接合部は、完成する。母屋１０４の全体の長さが達されない限り、ブロックの次にブロックが、直列にこの方法で据え付けられ得ることが理解される。
【００２１】
各一続きにおけるブロックが、固定される場合、フラップ１０７ａおよび１０７ｂならびに断熱材ブランケット１１２の小さな一部分は、各ブロック１１４の下側と母屋の頭３０２との間にはさんで締め付けられる。より具体的には、各ブロック上の脚１１６および１１８の各々の底部表面２１２および２１４は、それぞれ、ブランケット１１２ならびにフラップ１０７ａおよび１０７ｂを直接締め付ける。
【００２２】
しかし、各固定材ブロック上の脚１１６と１１８との間の下側表面２１６のそばに形成されたギャップ１５０（図１における一続き１２６を参照）は、その領域における断熱材の多少の膨張を可能にする。従って、体積が幾分か制限されるが、ブロック脚間の断熱材ブランケットは、依然として多少の深さを有し、完全には圧縮されない。これは、伝熱抵抗の利点を提供する。ブランケットは、ブロック１１４の各列に対して横に、ブランケットの通常の密度に戻るように上向きに膨張し、ブランケットは、据え付けられたブロック１１４の上部表面と同じ平面にあるように、下部断熱材片１０８の上部表面３５０の上方の領域を満たす。
【００２３】
次に、金属屋根パネル１０２が、ブロック上に、およびブロックを横切るように据え付けられる。より具体的には、クリップ１２０の頂部の上のフランジ３１０は、周知の態様で、屋根パネル１０２の縁１２４および１２５内へ継ぎ合わせられる。１つの屋根パネルのみが図１に示されているが、当業者は、複数の屋根パネルが、全体の屋根が覆われるように据え付けられることを認識する。
【００２４】
別の実施形態が、図４〜５に描写されている。図４〜５の実施形態は、図２Ａ〜Ｅに示されている同じ固定材ブロック構成を使用し、従って、開示された屋根システムのこの要素の詳細な説明は、繰り返されない。初めに図４を参照すると、この第二の実施形態を組み込んでいる屋根の取り出された部分が、図示されている。さらに、システム４００は、屋根パネル４０３を支持しかつ断熱するために提供され、その屋根パネル４０３は、アセンブリの頂部に据え付けられる。さらに、システムは、複数のＺ母屋５００の頂部に置かれる。３つのＺ母屋５００のみが、図４に示されているが、平行な関係にあるこれらの母屋５００のより多くのものが、全体の屋根構造に含まれることが、理解されるはずである。図５は、断面における第二の実施形態のシステム４００を示している。Ｚ母屋５００は、垂直なウェブ部分５０１（図５を参照）と、水平な頂部部分５０２および底部部分５０６とを有する。水平な頂部部分５０２は、下向きに傾斜した前部リップ５０４を有する。母屋５００の底部部分５０６は、リップ５０８を有し、底部５０６は、頂部部分５０２の方向と反対の方向に延びる。システムの第二の実施形態４００が、異なる種類の母屋（例えば、Ｃ型および他の種類）を用いて使用され得るが、図４および５に示されている母屋の断面は、Ｚ型である。直前の実施形態の場合と同様に、屋根フレームはまた、複数のアングル金属クロス部材１１０を含み、その複数のアングル金属クロス部材１１０は、周知の態様で、母屋５００のウェブ５０１における開口部を通して据え付けられる。
【００２５】
初めに、断熱材５５８のブランケットが、沈下することによりクロス部材１１０の頂上に置かれるように、断熱材５５８のブランケットは、母屋５００の上に広げられる。これは、対向する母屋１０４間で長手方向に広げられかつ延ばされた薄いバット１０８を有する第一の実施形態とは異なる。ここでは代わりに、ブランケットが、全体の上に掛けられる。図４および５の実施形態において、断熱材ブランケット５５８は、（しばしばロールで市場取引される）繊維ガラス断熱材であり、繊維ガラスは、その底部側に蒸気バリアシート５５６を含む。もっとも一般的には繊維ガラスから作られるが、ブランケット５５８は、他の材料から構成され得る。さらに、蒸気バリアシート５５６およびブランケット５５８は、別個の構成要素であり得、ブランケットは、シートの頂部に置かれる。
【００２６】
ブランケット５５８が、母屋５００の上の位置へ置かれると、固定材ブロック４１４が、図４に示されているように、各Ｚ母屋５００の上部部分３０２の頂部に直接据え付けられる。
【００２７】
図４を参照すると、ブロック４１４の第一の一続き４２６が、すでに据え付けられている一方、固定材ブロック４１４の第二の一続き５２８は、据え付けの最中である。図４に示されている一続き４２６および５２８におけるブロック４１４は、接合部４３０において一緒になる。接合部４３０は、すでに据え付けられたブロック（例えば、ブロック４３２）の第二の端４０２と、据え付けられる一続きにおける次のブロック（例えば、ブロック４３４）の第一の端４０１とが合うことによって形成される。ブロック４３２（図４）は、母屋５００にすでに固定され、Ｌブラケット４２２およびクリップ４２０を使用してブロック４３４の端４０２において固定されようとしているブロック４３４が、示されている。
【００２８】
しかしここで、断熱材のブランケット５５８が、母屋の頭を横切ってすでに掛けられているので、Ｌブラケット４２２が据え付けられる場合、Ｌブラケット４２２は、固定材ブロック４１４の脚の底部を母屋の頭の上の断熱材の小さな断片の頂部に締め付ける。
【００２９】
既成の／ドリルであけられた孔（示されていない）は、好ましい第二の実施形態において、クリップ４２０の底部に存在する。ボルト５１５ナット５１７の組み合わせ（図５を参照）またはねじが、固定するために使用され得る。締め具５１６は、これらの孔を通して、それから、Ｌブラケット４２２のより大きな部分（例えば、図２における部分２１０を参照）を通して、それから、ブロック４１４の接合部支持脚５１８を通して、それから、母屋５００内へ据え付けられる。図５を参照されたい。
【００３０】
２つの孔（示されていない）は、Ｌブラケット４２２の踊り場部分（例えば、図２における２１０を参照）、固定材ブロック４１４の脚５１８を通して作られた事前にドリルまたはパンチであけられたボアを通して下に、それから、脚５１８の下方で圧縮されているブランケット断熱材の薄い層を通して、それから、母屋の頭５０２上の事前にドリルまたはパンチであけられた孔を下って、事前にドリルまたはパンチであけられ得る。ボルト型の場合、ボルトは、ボルトの先端に、脚５１８を通して、断熱材を通して、それから母屋の頭５０２の下（図５を参照）に下らせる長さを有し、母屋の頭の下において、ナット５１７がねじ込まれ得る。締め具メカニズム５１６が、自己孔あけ式のねじである場合、締め具メカニズム５１６は、下に通過させられて、Ｚ母屋５００の上部表面５０２における孔を下に通して固定され、ねじが使用される場合、その上部表面５０２は、ねじが噛み合い得るように、選択されたねじよりもわずかに小さい直径を有する。これは、Ｌブラケット４２２に、ブロック４１４の踊り場領域（例えば、図２Ｂにおける領域２０４を参照）を締め付けさせる。
【００３１】
ブロック４３４の第二の端４０２が、そこに据え付けられたクリップ４２０およびＬブラケット４２２によって固定された場合、クリップ脚５１１および継ぎ目フランジ５１０は、突出し、かつむき出しである。それから、次のブロック４３６を据え付けるために、ブロック４３６の第一の端４０１のスロット５０８が、直前のブロック４３４にすでに据え付けられたクリップのクリップ脚５１１に合わせられ、かつそれを使用する。それから、クリップ４０２およびＬブラケット４２２が、ブロック４３６の踊り場領域の上へねじ込まれる場合、ブロック４３４と４３６との間の接合部は、完成する。母屋５００の全体の長さが達されない限り、ブロックの次にブロックが、直列にこの方法で据え付けられ得ることが理解される。
【００３２】
各一続きにおけるブロックが、固定される場合、下部バット断熱材シート５５８および蒸気バリア５５６は、各ブロック４１４の下側と母屋の上部フランジ５０２との間にはさんで締め付けられる。より具体的には、各ブロック上の脚５１４および５１８の各々の底部表面（例えば、図２における底部表面２１２および２１４）は、それぞれ、断熱材ブランケット５５８を各母屋の頭５０２の上部表面に対して直接はさんで締め付ける。しかし、各ブロック上の脚５１４と５１８との間に形成されたギャップ４５０（図４における一続き４２６を参照）において、断熱材は、体積が幾分か制限されるが、部分的に膨らむ。これは、伝熱抵抗の利点を提供する。断熱材５５０の上部表面（図５を参照）は、脚５１４および５１８の下にはさんで締め付けられる場合を除いて、ブロック４１４の下の表面に等しい平面において実質的に維持される。
【００３３】
ブロック４１４のすべてが固定されると、バット断熱材４１２の比較的薄い片が、対向する一続きのブロック間（例えば、図４に示されているように、断熱材が、長手方向に延びている一続き４２６と５２８との間）に形成された長方形の空洞内へ広げられる。板断熱材が、実施形態においてバット断熱材の代わりに使用され得る。上部断熱材層４１２は、板断熱材から作られる場合、空洞に適合するように事前に切られる。バット断熱材のロールが使用される場合、ロールは、通常、標準の母屋間隔の間に適合するように幅が合わせられている。そこで、上部断熱材層４１２は、下部ブランケットの上部表面５５０の頂部に位置し、上部断熱材層４１２は、図４に示されているように、下部ブランケット５５８の上方のブロックの列間の覆いのない領域を満たす。
【００３４】
バット断熱材４１２の比較的薄い片が、定位置に置かれると、金属屋根パネル４０３は、ブロック４１４上に、およびブロック４１４を横切るように据え付けられる。より具体的には、クリップ４２０の頂部の上のフランジ５１０は、周知の態様で、屋根パネル４０３の縁４２４および４２５内へ継ぎ合わせられる。１つの屋根パネルのみが図４に示されているが、当業者は、複数の屋根パネルが、全体の屋根が覆われるように据え付けられることを認識する。
【００３５】
描写された種々の構成要素および示されていない構成要素の多くの異なる配置が、本発明の精神および範囲から逸脱することなしに可能である。本発明の実施形態は、制限的であることではなく、例証的であることを意図して、説明されてきた。本発明の範囲から逸脱しない代替実施形態は、当業者にとって明白になる。当業者は、本発明の範囲から逸脱することなしに、前述の改良点を実装する代替の手段を開発し得る。
【００３６】
特定の特徴および下位組み合わせ（ｓｕｂｃｏｍｂｉｎａｔｉｏｎ）は、有用であり、特定の特徴および下位組み合わせは、他の特徴および下位組み合わせを考慮に入れずに用いられ得、特定の特徴および下位組み合わせは、特許請求の範囲の範囲内にあると想定されることが、理解される。種々の図に記載されたすべてのステップが、説明された特定の順番で実施される必要があるわけではない。
【図１】
0005745162.tif 000002
【図２Ａ】
0005745162.tif 000003
【図２Ｂ】
0005745162.tif 000004
【図２Ｃ】
0005745162.tif 000005
【図２Ｄ】
0005745162.tif 000006
【図２Ｅ】
0005745162.tif 000007
【図３】
0005745162.tif 000008
【図４】
0005745162.tif 000009
【図５】
0005745162.tif 000010